(57)【要約】【課題】乾燥剤の新たな利用方法を提供することである。【解決手段】乾燥部材１０１は、家庭用乾燥機３０１又はコインランドリー用乾燥機３０１において、濡れた衣類を入れる空間内に、濡れた衣類とともに投入して、乾燥をおこなう乾燥部材１０１であって、乾燥部材１０１は、電子レンジ４０１に掛けることによって再生して再使用可能となるものであり、乾燥部材１０１は、電子レンジ４０１による高温及び乾燥機の熱に耐える材質で形成されている。【選択図】図１
2017090008.tif 000002
【特許請求の範囲】
【請求項１】
家庭用乾燥機又はコインランドリー用乾燥機において、濡れた衣類を入れる空間内に、濡れた衣類とともに投入して、乾燥をおこなう乾燥部材であって、
前記乾燥部材は、電子レンジに掛けることによって再生して再使用可能となるものであり、
前記乾燥部材は、電子レンジによる高温及び乾燥機の熱に耐える材質で形成されている
乾燥部材。
【請求項２】
前記乾燥部材は、乾燥剤及び当該乾燥剤を収容する袋部を有する
請求項１の乾燥部材。
【請求項３】
前記袋部は、
メッシュ形状に形成したことによって、
乾燥機の温風を容易に通過させ、及び、電子レンジに投入してマイクロ波を加えた際に蒸発する水蒸気を容易に逃がす、ことを可能とした
請求項２に記載の乾燥部材。
【請求項４】
前記乾燥部材の外形は、
底面の最大の長さに比較して、高さ方向長さは、１／５以下であり、
底面の最大の長さは、電子レンジの内部空間の縦方向長さ及び横方向長さの８０％〜１００％の範囲で形成されている
請求項１〜３いずれか１項に記載の乾燥部材。
【請求項５】
前記乾燥部材は、乾燥剤を繊維状にしたものを織り込んだ布状の形状とした
請求項１に記載の乾燥部材。
【請求項６】
前記乾燥剤は、シリカゲルである
請求項２〜５いずれか１項に記載の乾燥部材。
【請求項７】
家庭用乾燥機又はコインランドリー用乾燥機において、濡れた衣類を入れる空間内に、濡れた衣類とともに投入して、乾燥をおこなう
乾燥部材。
【発明の詳細な説明】
【技術分野】
【０００１】
本発明は、家庭用又はコインランドリーにおける乾燥部材に関する。
【背景技術】
【０００２】
特許文献１〜３には、乾燥機において、濡れた衣類を入れる空間内に導入する前の空気を、乾燥部材を用いて乾燥させる技術が開示されている。
【先行技術文献】
【特許文献】
【０００３】
【特許文献１】実開昭６０―７７５９７号公報
【特許文献２】特開平９―１０４９１号公報
【特許文献３】特開２０００―３０４４４８号公報
【発明の概要】
【発明が解決しようとする課題】
【０００４】
しかし、特許文献１〜３に記載の方法においては、そもそもそのような構造をもった乾燥機を購入しなければならない不利益がある。
【０００５】
本発明の目的の一例は、乾燥剤の新たな利用方法を提供することである。
【課題を解決するための手段】
【０００６】
本発明の乾燥部材は、家庭用乾燥機又はコインランドリー用乾燥機において、濡れた衣類を入れる空間内に、濡れた衣類とともに投入して、乾燥をおこなう乾燥部材であって、前記乾燥部材は、電子レンジに掛けることによって再生して再使用可能となるものであり、前記乾燥部材は、電子レンジによる高温及び乾燥機の熱に耐える材質で形成されている。
【０００７】
好適には、前記乾燥部材は、乾燥剤及び当該乾燥剤を収容する袋部を有する。
【０００８】
好適には、前記袋部は、メッシュ形状に形成したことによって、乾燥機の温風を容易に通過させ、及び、電子レンジに投入してマイクロ波を加えた際に蒸発する水蒸気を容易に逃がす、ことを可能とした。
【０００９】
好適には、前記乾燥部材の外形は、底面の最大の長さに比較して、高さ方向長さは、１／５以下であり、底面の最大の長さは、電子レンジの内部空間の縦方向長さ及び横方向長さの８０％〜１００％の範囲で形成されている。
【００１０】
好適には、前記乾燥部材は、乾燥剤を繊維状にしたものを織り込んだ布状の形状とした。
【００１１】
好適には、前記乾燥剤は、シリカゲルである。
【００１２】
本発明の乾燥部材は、家庭用乾燥機又はコインランドリー用乾燥機において、濡れた衣類を入れる空間内に、濡れた衣類とともに投入して、乾燥をおこなう。
【発明の効果】
【００１３】
本発明における乾燥部材によって乾燥剤の新たな利用方法を提供することが可能となった。
【図面の簡単な説明】
【００１４】
【図１】本発明の第１の実施形態に係る乾燥部材の使用方法を示す説明図である。
【図２】袋部の説明図である。
【図３】乾燥部材の再生方法の説明図である。
【図４】第２の実施形態の説明図である。
【図５】乾燥部材のＶ−Ｖ断面図である。
【図６】第２の実施形態の説明図である。
【発明を実施するための形態】
【００１５】
＜第１の実施形態＞
図１は、本発明の第１の実施形態に係る乾燥部材１０１の使用方法を示す説明図である。
【００１６】
本発明の目的の一例は、乾燥を促進することである。
そのために、乾燥剤１として、ゼオライト、シリカゲル等を用いることができる。
さらにいうと、乾燥剤１は、天然、合成、及び変成天然ポリマー及び材料から選択することができる。
また、乾燥剤１は、シリカゲルのような無機材料、又は例えば中性ナトリウムポリアクリル酸の架橋結合したポリマーのような有機化合物とすることもできる。
【００１７】
通常、このような乾燥剤１は、１〜３ｍｍ程度の球状の形状を有しているため。
このような乾燥剤１を数百個〜数万個が、乾燥を行うためには必要とする。
これが、乾燥機３０１内に飛散してしまっては不都合が生ずる。そのため、袋部１０３内に収容する必要がある。
このように、袋部１０３に乾燥剤１が収納されたものが、本実施形態における乾燥部材１０１である。
袋部１０３は、ファスナー１０５等によって、乾燥剤１を出し入れ可能として、乾燥剤１の交換等を可能としている。
ここで、袋部１０３は、乾燥機３０１による使用、電子レンジ４０１による再生処理を行う関係上、乾燥及び高熱に耐える素材で作成する必要がある。
例えば、そのような材料として、ポリスチレン、ポリエチレン、ポリプロピレン、ポリカーボネート、ポリエチレン、等のプラスチックスが挙げられる。
それ以外にも、布（織物）、ガーゼ、不織布等であっても良い。
さらに、袋部１０３の材質は、乾燥機３０１による使用、電子レンジ４０１による再生処理の、回転（撹拌）・高温・マイクロ派に、数百回単位で耐えられる材質であれば、どのようなものでも良い。
【００１８】
このように、複数の乾燥剤１を内包する乾燥部材１０１を、濡れた衣類２０１と同時に乾燥機３０１に投入して、乾燥を行うことによって、より短時間での衣類２０１の乾燥が可能となる。
家庭内等の個人ユースにおいては、濡れた衣類２０１を、できるだけ短時間で乾燥させたいというニーズが存在する。
例えば、子供の体操着が乾いていないのに学校にそれを持って行かなくてはならない場合、会社に着ていかなければならないシャツが乾いていないのにそれしか無い場合、等である。
そのような場合、ドライヤーで乾かす等することがありえるが、必ずしも、短期間で乾くとは限らず、乾いている部分と乾いていない部分とが存在しがちである、さらに、ドライヤーで乾かす間一人の人間がつきっきりで乾かす必要が生じてしまう。
本発明の目的の一例は、このような場合に、乾燥機３０１による乾燥を、より短時間で行うこと、人間の労力を低減させることである。
【００１９】
この目的のために、乾燥機３０１による乾燥時に、濡れた衣類２０１と乾燥部材１０１を一緒に乾燥機の乾燥用の内部空間に入れて乾燥処理をすることによって、より短時間で乾燥させることができる。
乾燥部材１０１自体に高い乾燥機能があるため、場合によっては、乾燥機３０１の単なる送風モード等によっても、乾燥することも可能である。ただし、この場合は、乾燥機３０１の乾燥モードよりも時間はかかってしまが、電気代が低減するため経済性は向上する。
なお、本発明おいては、衣類２０１としているが、乾燥の対象は靴などであってもよい。
【００２０】
図２は、袋部１０３の説明図である。
【００２１】
袋部１０３は、メッシュ１０４構造が適切である。
このようなメッシュ１０４構造の場合、乾燥機３０１の温風を容易に通過させることが可能となる。さらに、このようなメッシュ１０４構造の場合、電子レンジ４０１内でマイクロ波を加えて、乾燥剤１が吸収した水分が蒸発させる際に、容易にその水分を蒸発させることが可能となるからである。
当然であるが、複数の乾燥剤１の最低直径Φよりも、メッシュの貫通穴１０４ａの幅Ａが十分に小さい必要がある。
他にも、２重又はそれ以上のメッシュ層の多重構造としてもよい。その場合には、その複数のメッシュ層の貫通穴１０４ａが完全に同じ位置に位置する可能性は極めて低い。そのため、複数の乾燥剤１の最低直径Φの大きさとメッシュの貫通穴１０４ａの幅Ａが同じ、又は、貫通穴１０４ａのほうが大きくても、乾燥剤１が袋部１０３から外に出る可能性は非常に低くなる。そのため、このような構造を袋部１０３が有することも可能である。
【００２２】
図３は、乾燥部材１０１の再生方法の説明図である。
【００２３】
図３のように、使用されて濡れた衣類２０１等の水分を吸収した乾燥部材１０１は、電子レンジ４０１で再生することが可能である。
電子レンジ４０１のレンジ内部空間４０１ａに、乾燥部材１０１を入れて（投入して）電子レンジ４０１による加熱処理を行った場合、乾燥剤１内の水分が蒸発する。
これによって、乾燥部材１０１は、再度の乾燥処理を可能となる。
この一連の過程を、再生処理という。
【００２４】
この再生処理において、電子レンジ４０１のマイクロ波を乾燥部材１０１に均一に加える必要がある。
電子レンジ４０１は、皿があり加熱対象物をその皿が回転することによって、加熱対象物を回転させる形式のものも多い。
そのような形式の電子レンジ４０１を使用して再生処理を行う場合、乾燥部材１０１が電子レンジ４０１のレンジ内部空間４０１ａ内を回転できない形状（つまり大きいと）であると、再生処理にムラが生じてしまい適切ではない。
他方、小さいと今度は、乾燥能力が低下する。
換言すると、図３において、縦方向長さＥと横方向長さＦが大きい（＝面積が大きい）と乾燥能力が大きくなる。しかし、縦方向長さＥと横方向長さＦが大きいと、電子レンジ４０１内を回らなくなってしまう。
そこで、縦方向長さＥ及び横方向長さＦは、電子レンジ４０１のレンジ内部空間４０１ａの縦方向長さＣ及び横方向長さＢよりも短く形成されている必要がある。
さらに好適な場合は、縦方向長さＥ及び横方向長さＦが作る対角線長さＤが、電子レンジ４０１のレンジ内部空間４０１ａの縦方向長さＣ及び横方向長さＢよりも短く形成されている必要がある。
他方、できるだけ、乾燥能力をあげるために以下の条件がある。
縦方向長さＥ及び横方向長さＦが作る対角線長さＤが、電子レンジ４０１のレンジ内部空間４０１ａの縦方向長さＣ及び横方向長さＢのより短い方（通常は、縦方向長さＣ）と同様又はそれよりも僅かに短いほうが適切であることを見出した。
具体的には、対角線長さＤが縦方向長さＣの８０％〜１００％の長さであると適切である。
具体的には、通常の電子レンジの場合、縦方向長さＣは３００ｍｍ程度である。そのため、対角線長さＤが２４０ｍｍから３００ｍｍの間が適切である。
その上、対角線が一定の場合、面積を最大化するのは、正方形であるため、縦方向長さＥ＝横方向長さＦ（同一）がより適切である。
この場合、底面の最大の長さは、縦方向長さＥ及び横方向長さＦの対角線Ｄ（＝√２×縦方向長さＥ（横方向長さＦ））となる。
【００２５】
乾燥部材１０１の高さ方向の長さについても乾燥能力との関係で制限が存在する。
乾燥機３０１の乾燥時には、主に高さ方向に温風が乾燥部材１０１内を通過すると考えられる。
そのため、高さ方向にあまりに厚く形成してしまうと、乾燥部材１０１が抵抗となってしまうため、温風の通過率が悪化してしまう。
他方、あまりに乾燥部材１０１がないと、すぐに乾燥剤１が含むことのできる水分の飽和量に達してしまう。
そのため、温風の通過という観点から、縦方向長さＥ及び横方向長さＦが作る対角線長さＤの１／５以下が適切であることを見出した。
さらに、乾燥能力の維持という観点から、縦方向長さＥ及び横方向長さＦが作る対角線長さＤの１／４０以上が適切であることを見出した。
【００２６】
さらに、本実施形態では、高さが非常に低い直方体（好適には、底面が正方形の直方体）形状としたが、より表面積を大きくするという意味では、底面が円である、高さ非常に低い円柱形状であってもよい。この場合、底面の直径が、底面の最大の長さとなる。
さらに、円柱形状ではなく、どら焼きのような形状であっても良い。
【００２７】
なお、電子レンジ４０１での乾燥が適切であるが、ユーザに時間がある場合には、通常の洗濯物の乾燥のように、物干し竿に干すことも、乾燥部材１０１は可能である。
【００２８】
本発明の乾燥部材１０１は、ドラッグストア等において、一般消費者向けの製品である。そしてその使用は、個人宅の乾燥機３０１又は、個人が使用するコインランドリーでの使用を想定している。
なぜなら、工場等では、特許文献１〜３のように、専門の機械を導入するほうが効率的であり、本発明の乾燥部材１０１は使用される可能性はないと想定される。
また、本発明の乾燥部材１０１は、電子レンジ４０１で再生されるものである。そのため、工場等では経済的に採算が取れず、急速に乾燥させる需要がある個人の家庭用及び個人のコインランドリー用のものへの使用が最適である。
【００２９】
＜第２の実施形態＞
図４は、第２の実施形態の説明図である。
【００３０】
図４のように、乾燥部材１０１の内部空間１０１ａの内部に、濡れた衣類２０１を入れることによって、より乾燥を促進する事が可能である。
【００３１】
図５は、乾燥部材１０１のＶ−Ｖ断面図である。
【００３２】
図５のように、乾燥部材１０１は、第１袋部１０ａと第２袋部１０ｂとを有している。
第１袋部１０ａは及び第２袋部１０ｂは、それぞれの端部において、左側接続部１０５ａと右側接続部１０５ｂとで接続されている。この左側接続部１０５ａと右側接続部１０５ｂ、奥側接続部（図示せず）等によって、乾燥部材１０１の内部空間１０１ａは、袋状の形状となっている。
【００３３】
第１袋部１０ａは、第１袋部外側メッシュ１０３ａと第１袋部内側メッシュ１０３ｂとを有している。
第１袋部外側メッシュ１０３ａと第１袋部内側メッシュ１０３ｂは、第１の実施形態と同じように、メッシュ形状である。
この第１袋部外側メッシュ１０３ａと第１袋部内側メッシュ１０３ｂとの間に、乾燥剤１が保持される。
同様に、第２袋部外側メッシュ１０３ｃと第２袋部内側メッシュ１０３ｄは、第１の実施形態と同じように、メッシュ形状である。
この第２袋部外側メッシュ１０３ｃと第２袋部内側メッシュ１０３ｄとの間に、乾燥剤１が保持される。
【００３４】
第２の実施形態では、乾燥部材１０１と濡れた衣類２０１とが、常に密着することになるので、より乾燥を促進することが可能となる。
＜第３の実施形態＞
図６は、第２の実施形態の説明図である。
【００３５】
乾燥剤１は、繊維状にする事が可能である。
例えば、東洋紡株式会社のランシール（登録商標）のように、シリカゲルよりも乾燥力（吸水性）が高いものを用いることが可能である。
繊維状にした乾燥剤１が図６の繊維状乾燥剤１ａ（＝乾燥剤１）である。
このように繊維状乾燥剤１ａを織り込むことによって、布にすることが可能である。
この布又はこの布を服などに加工したものが、乾燥部材１０１に該当する。
以下、乾燥部材１０１の実施形態としてのこの布を乾燥布１０２と表記する。
この乾燥布１０２を、第１の実施形態及び第２の実施形態のように乾燥に使用することも可能である。
さらに、布状としたことによって、この乾燥布１０２を第２の実施形態のように用いる事が可能となる。具体的には、この乾燥布１０２に濡れた衣類２０１を畳み込むことによって、又は、この乾燥布１０２と一緒に濡れた衣類２０１をメッシュ状の袋に入れることによって、濡れた衣類２０１を完走させることが可能となる。
【００３６】
さらに、乾燥布１０２をシャツ、帽子、パンツ、靴下などの形状に加工することも可能である。以下、乾燥布１０２をシャツ、帽子、パンツ、靴下などの形状に加工したものを乾燥服１０２ａという。
このように構成したことによって、この乾燥服１０２ａを着たユーザは、即座に汗を吸収してもらうことが可能となり、汗が体に付着することによる不快感を大幅に低減することが可能となる。
＜実施形態の構成及び効果＞
【００３７】
本実施形態の乾燥部材１０１は、家庭用の乾燥機３０１又はコインランドリー用の乾燥機３０１において、濡れた衣類を入れる空間内に、濡れた衣類とともに投入して、乾燥をおこなう乾燥部材１０１である。
そして、乾燥部材１０１は、電子レンジ４０１に掛けることによって再生して再使用可能となるものであり、乾燥部材１０１は、電子レンジ４０１による高温及び乾燥機の熱に耐える材質で形成されている。
このような構成を有することによって、乾燥剤の新たな利用方法を提供することが可能となる。
【００３８】
好適には、乾燥部材１０１は、乾燥剤１及び当該乾燥剤１を収容する袋部１０３を有する。
このような構成を有することによって、簡易な構造の乾燥部材１０１で、衣類２０１の乾燥が可能となる。
【００３９】
好適には、袋部１０３は、メッシュ形状に形成したことによって、乾燥機３０１の温風を容易に通過させ、及び、電子レンジ４０１に投入してマイクロ波を加えた際に蒸発する水蒸気を容易に逃がす、ことを可能とした。
このような構成を有することによって、より確実かつ短時間での衣類２０１の乾燥が可能となった。
【００４０】
好適には、乾燥部材１０１の外形は、底面の最大の長さに比較して、高さ方向長さは、１／５以下であり、底面の最大の長さは、電子レンジ４０１のレンジ内部空間４０１ａの縦方向長さ及び横方向長さの８０％〜１００％の範囲で形成されている。
このような構成を有することによって、電子レンジ４０１による再生処理を効率的に行うことが可能となる。
【００４１】
好適には、乾燥部材１０１は、乾燥剤１を繊維状にしたものを織り込んだ布状の形状とした。
このような構成を有することによって、乾燥剤の新たな利用方法を提供することが可能となる。
【００４２】
好適には、乾燥剤１は、シリカゲルである。
このような構成を有することによって、より適切に乾燥を行うことが可能となる。
【００４３】
本実施形態の乾燥部材１０１は、家庭用の乾燥機３０１又はコインランドリー用の乾燥機３０１において、濡れた衣類を入れる空間内に、濡れた衣類とともに投入して、乾燥をおこなう。
このような構成を有することによって、乾燥剤の新たな利用方法を提供することが可能となる。
【００４４】
本発明の、構造、材料、各部材の連結、化学物質、などは、本発明の要旨を変更しない範囲で、様々に変更可能である。
材質も自由に選択することが可能である。
例えば、２つ以上の部材を１つにすることも可能であるし、逆に、１つの部材を２つ以上の別の部材から構成して接続することも可能である。
また、上記実施形態は、あくまでも、現在のところの最良の形態の１つにすぎない。
【符号の説明】
【００４５】
１        ：乾燥剤
１ａ      ：繊維状乾燥剤
１０ａ    ：第１袋部
１０ｂ    ：第２袋部
１０１    ：乾燥部材
１０１ａ  ：内部空間
１０２    ：乾燥布
１０２ａ  ：乾燥服
１０３    ：袋部
１０３ａ  ：第１袋部外側メッシュ
１０３ｂ  ：第１袋部内側メッシュ
１０３ｃ  ：第２袋部外側メッシュ
１０３ｄ  ：第２袋部内側メッシュ
１０４    ：メッシュ
１０４ａ  ：貫通穴
１０５    ：ファスナー
１０５ａ  ：左側接続部
１０５ｂ  ：右側接続部
２０１    ：衣類
３０１    ：乾燥機
４０１    ：電子レンジ
４０１ａ  ：レンジ内部空間
Ｄ        ：対角線
Φ        ：最低直径
【図１】
2017090008.tif 000003
【図２】
2017090008.tif 000004
【図３】
2017090008.tif 000005
【図４】
2017090008.tif 000006
【図５】
2017090008.tif 000007
【図６】
2017090008.tif 000008